(57)【要約】【課題】本考案は、既存の看板ユニットの内部構造をいじることなく、一つの直管タイプ蛍光灯形のＬＥＤ照明装置で、目的の照射面とその１８０度反対側に位置する対向照射面とを同時に照射できるようにしたＬＥＤ照明装置を提供することを目的とする。【解決手段】直管タイプ蛍光灯形のＬＥＤ照明装置であって、ＬＥＤ照明装置の長手方向に沿って、ＬＥＤ照明装置本体の中央位置にコンバーター基盤を配設し、該コンバーター基盤の長手方向の一対の対向面の外表面に放熱部材を配設し、該放熱部材の表面にＬＥＤ基盤を配設し、該ＬＥＤ基盤の表面にＬＥＤ素子を長手方向に沿って複数個実装し、このＬＥＤ素子実装面を覆うように透孔樹脂カバーを取り付け、前記放熱部材の放熱フィンを透孔樹脂カバーで覆われない位置に露出させたことを特徴とするＬＥＤ照明装置である。【選択図】図３
0003163591.tif 000002
【実用新案登録請求の範囲】
【請求項１】
直管タイプ蛍光灯形のＬＥＤ照明装置であって、ＬＥＤ照明装置の長手方向に沿って、ＬＥＤ照明装置本体の中央位置にコンバーター基盤を配設し、該コンバーター基盤の長手方向の一対の対向面の外表面に放熱部材を配設し、該放熱部材の表面にＬＥＤ基盤を配設し、該ＬＥＤ基盤の表面にＬＥＤ素子を長手方向に沿って複数個実装し、このＬＥＤ素子実装面を覆うように透孔樹脂カバーを取り付け、前記放熱部材の放熱フィンを透孔樹脂カバーで覆われない位置に露出させたことを特徴とするＬＥＤ照明装置。
【請求項２】
コンバーター基盤は横断面形状が矩形状に形成され、一対の放熱部材は平行状に配設されていることを特徴とする請求項１記載のＬＥＤ照明装置。
【請求項３】
コンバーター基盤は横断面形状が矩形状に形成され、一対の放熱部材は非平行状に配設されていることを特徴とする請求項１記載のＬＥＤ照明装置。
【考案の詳細な説明】
【技術分野】
【０００１】
本考案は、ＬＥＤを光源として用いるＬＥＤ照明装置に係り、さらに詳しくは既存の直管タイプ蛍光灯形のＬＥＤ照明装置でありながら、照射範囲が広くなるＬＥＤ照明装置に関する。
【背景技術】
【０００２】
ＬＥＤ光源は照射範囲が狭いため、広範囲を照射するＬＥＤ照明装置は存在しない。
特に直管タイプ、すなわち長筒状を呈する蛍光灯形のＬＥＤ照明装置では、長手方向にＬＥＤ光源を間隔を存して複数個列設しているが、その場合でも単独のＬＥＤ光源の場合、すなわちスポット型のＬＥＤ照明装置と同様に、広範囲の照射（特に、１８０度反対側に位置する一対の照射面を同時に照射すること）は困難であった。
【先行技術文献】
【特許文献】
【０００３】
【特許文献１】実用新案登録第３１５６７２１号公報
【特許文献２】特開２００７−１４００５６号公報
【考案の概要】
【考案が解決しようとする課題】
【０００４】
ところで、上記した従来のＬＥＤ照明装置は、広範囲の照射は困難であるという問題があったため、ＬＥＤ照明装置の利用範囲が限られ、かつ従来の直管タイプ蛍光灯が使用されていた範囲内でも、ＬＥＤ光源の特性を生かすためにＬＥＤ照明装置に代替させることが困難となる等の問題点があった。
【０００５】
特に、従来の直管タイプ蛍光灯にて照明を行っていた電飾蛍光看板、例えばスタンド型看板やビルの壁面に設置される袖看板などにおいては、従来は看板の左右表示面（又は上下表示面）を１本の蛍光灯で３６０度の範囲の照明が可能であったため、看板の内部スペースも１本の蛍光灯だけを収納できるように設計され、そのためのスペースしか確保されていない現実があった。
【０００６】
もちろん一つの照射面の範囲が広い場合には、その照射面をまんべんなく照射するために、蛍光灯を平行状に複数並設する場合はあるとしても、目的とする照射面とその１８０度反対側に位置する対向照射面とを、別々の蛍光灯で照射するようなスペースは残されていないのが実情であった。このような状況下で、照射範囲の狭い従来型のＬＥＤ照明装置を、従来の直管タイプ蛍光灯に換えても、照射範囲が狭いことによる薄暗さなどで、電飾看板のＰＲ効果が落ちてしまい、一方照射範囲の狭い従来型ＬＥＤ照明装置を増設して対応しようとしても、そのためのスペースが確保できないなどの問題点があった。
【０００７】
本考案の目的は、上記の問題点を解消するために、既存の看板ユニットの内部構造をいじることなく、一つの直管タイプ蛍光灯形のＬＥＤ照明装置で、目的の照射面とその１８０度反対側に位置する対向照射面とを同時に照射できるようにしたＬＥＤ照明装置を提供することである。
【課題を解決するための手段】
【０００８】
前記課題を解決するために、請求項１に記載の考案は、直管タイプ蛍光灯形のＬＥＤ照明装置であって、ＬＥＤ照明装置の長手方向に沿って、ＬＥＤ照明装置本体の中央位置にコンバーター基盤を配設し、該コンバーター基盤の長手方向の一対の対向面の外表面に放熱部材を配設し、該放熱部材の表面にＬＥＤ基盤を配設し、該ＬＥＤ基盤の表面にＬＥＤ素子を長手方向に沿って複数個実装し、このＬＥＤ素子実装面を覆うように透孔樹脂カバーを取り付け、前記放熱部材の放熱フィンを透孔樹脂カバーで覆われない位置に露出させたことを特徴とするＬＥＤ照明装置である。
【０００９】
請求項２に記載の考案は、コンバーター基盤は横断面形状が矩形状に形成され、一対の放熱部材は平行状に配設されていることを特徴とする請求項１記載のＬＥＤ照明装置である。
【００１０】
請求項３に記載の考案は、コンバーター基盤は横断面形状が矩形状に形成され、一対の放熱部材は非平行状に配設されていることを特徴とする請求項１記載のＬＥＤ照明装置である。
【考案の効果】
【００１１】
上記の請求項１乃至３の考案によれば、ＬＥＤ光源（ＬＥＤ素子）の有する特徴、すなわち看板の照射面を照射するＬＥＤ光源は光源交換までの時間が長時間（長寿命）になり、かつ省電力やＣＯ２
削減が達成できるというメリットを享受でき、このような特徴を有するＬＥＤ光源でありながら広範囲の照射角を確保でき、しかもコンバーター基盤から発せられる熱を効率的に放熱できるなどの効果を発揮する。
【００１２】
特に、既存の電飾蛍光看板、例えばビルの壁面に設置した袖看板などで、従来の直管タイプ蛍光灯に代えて、ＬＥＤ光源に照明装置を、看板内部（看板ユニット）の構造をまったく変えることなく、そのままの状態で光源交換の作業が簡単に行えるという、光源交換作業時の作業上のメリットを享受できるという優れた効果を発揮する。上記の看板は、ビルの高所に設置されることも多く、このような作業困難な場所での光源交換を行う際には上記のメリットは多大なものとなる。
【図面の簡単な説明】
【００１３】
【図１】本考案に係るＬＥＤ照明装置の一部省略斜視図である。
【図２】本考案に係るＬＥＤ照明装置の要部を示す部分縦断面図である。
【図３】本考案に係るＬＥＤ照明装置の要部を示す部分横断面図であって、（ａ）は一対の放熱部材を平行状に配設した実施例であり、（ｂ）は一対の放熱部材を非平行状に配設した実施例である。
【図４】本考案に係るＬＥＤ照明装置の実際の使用例（スタンド型看板に使用した例）を示す斜視図である。
【図５】前図のＡ−Ａ線断面図である。
【考案を実施するための形態】
【００１４】
以下添付図面に基づいて、本考案に係るＬＥＤ照明装置の一実施の形態を詳説するが、本考案はこれらの実施の形態に制限されるものではない。
本考案のＬＥＤ照明装置は、図１に示すように従来の直管タイプ蛍光灯とまったく同様の外観及び寸法で仕上げられており、唯一外観の違いは、従来の直管タイプ蛍光灯は全体が円筒ガラス管であるのに対し、本考案のＬＥＤ照明装置は、放熱板の一部（放熱フィン部分）が透孔樹脂カバーから露出している点である。
このため、従来の直管タイプ蛍光灯と本考案のＬＥＤ照明装置とは、看板内の収納箇所において、まったく同じ条件で設置が可能となる。
【００１５】
図２及び図３に示されるように、本考案のＬＥＤ照明装置は、その長手方向に沿って、ＬＥＤ照明装置本体１の中央位置に、横断面形状が矩形状を呈するようなコンバーター基盤２を配設している。コンバーター基盤２は、通常横断面形状が図３に示されるように矩形状を呈するが、この形状は矩形状に限られることは無く、特にどのような横断面形状であっても良い。
【００１６】
コンバーター基盤２は、交流電流を直流電流に変換するための基盤であり、熱を発生しやすい構成であるため、アルミ素材等からなる放熱効果の高い材料、構造の放熱部材３を利用して、発生した熱を外気中に逃がすように工夫している。
【００１７】
この放熱部材３は、上記コンバーター基盤２の長手方向の一対の対向面の外表面に配設され、全体が一体的になるように構成しておくと、放熱効果を均等にかつ効率的に行える。また放熱部材３には、その一部に表面積の大きな放熱フィン４が一体的に形成されていて、上記の放熱効果の向上を図っている。
なお、コンバーター基盤２は、通常電解コンデンサが利用されるが、電解コンデンサは熱に弱い性質があるため、それを熱に対する耐性の高いセラミックコンデンサに交換することも有益である。
【００１８】
この放熱部材３の表面に、ＬＥＤ素子６を実装するためのＬＥＤ基盤５が配設され、このＬＥＤ基盤５の表面にＬＥＤ素子６が長手方向に沿って複数個実装される。
ＬＥＤ素子６は、プリント配線盤等からなるＬＥＤ基盤５に電気的に導通した状態で実装されるため、電源から供給される電力で照明することができる。ここで一つのＬＥＤ素子６の照射角は、図３（ａ）、（ｂ）に示す如く１６０度である。
【００１９】
本考案に係るＬＥＤ照明装置１は、図３の（ａ）に示すように、一対の放熱部材３を平行状に配設し、それに伴いＬＥＤ基盤５、ＬＥＤ素子６も平行状に配設して、看板８の照射面９が左右平行状になっているタイプのものに対応できるようにしている。
なお、符号１０は看板の枠部であり、１１は建物である。
【００２０】
また、看板８の照射面９が左右非平行状になっていたり、あるいは曲面を呈しているようなタイプのものに備え、図３の（ｂ）に示すように、一対の放熱部材３を非平行状に配設し、それに伴いＬＥＤ基盤５、ＬＥＤ素子６も非平行状に配設することもできる。
【００２１】
看板８の照射面９以外の箇所、例えば看板８の枠部１０とか、建物１１側には、ＬＥＤ照明装置１の放熱部材３の放熱フィン４を対面させるように位置させることで、看板８における照射が必要な箇所を、確実かつ有効的に照射できるようにしている。
【産業上の利用可能性】
【００２２】
本考案のＬＥＤ照明装置は、電飾看板を製造し、使用する現場において重宝に利用することが可能である。
【符号の説明】
【００２３】
１ …ＬＥＤ照明装置
２ …コンバーター基盤
３ …放熱部材
４ …放熱フィン
５ …ＬＥＤ基盤
６ …ＬＥＤ素子
７ …透孔樹脂カバー
８ …看板
９ …看板の照射面
１０…看板の枠部
１１…建物
【図１】
0003163591.tif 000003
【図２】
0003163591.tif 000004
【図３】
0003163591.tif 000005
【図４】
0003163591.tif 000006
【図５】
0003163591.tif 000007